【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
通信装置と情報処理装置とを備える管理システムであって、
前記通信装置は、
対象装置の状態量の計測値を取得する取得部と、
前記対象装置の第１の状態量と前記対象装置の第２の状態量とが一対一で対応しており、前記第１の状態量の変化量に対して前記第２の状態量の変化量が小さい場合に前記第１の状態量の計測値を、大きい場合に前記第２の状態量の計測値を前記情報処理装置に送信することを決定する抽出部と、
前記抽出部が前記第１の状態量の計測値を前記情報処理装置に送信することを決定した場合に、前記第１の状態量の計測値を前記情報処理装置に送信する送信部と
を備え、
情報処理装置は、
前記第１の状態量の計測値を取得する計測値取得部と、
前記対象装置の管理のための評価項目ごとに、前記第２の状態量の値を推定するためのモデルを決定するモデル決定部と、
前記モデル決定部が決定したモデルを用いて、前記計測値に基づいて前記第２の状態量の値を推定する推定部と、
前記推定部が推定した値を用いて前記評価項目の値を算出する管理部と
を備える管理システム。
【請求項２】
前記対象装置の複数の状態量について、計測値を取得するか否かを決定する取得決定部をさらに備え、
前記計測値取得部は、計測値を取得すると判定された状態量の計測値を取得し、
前記推定部は、前記モデルを用いて、計測値を取得しないと判定された状態量の値を推定する
請求項１に記載の管理システム。
【請求項３】
前記取得決定部は、計測値を取得するか否かを、前記評価項目に基づいて決定する
請求項２に記載の管理システム。
【請求項４】
前記取得決定部は、計測値を取得するか否かを、前記対象装置の機器構成に基づいて決定する
請求項２または請求項３に記載の管理システム。
【請求項５】
前記取得決定部は、計測値を取得するか否かを、前記モデルにおける前記状態量の値の変化率に基づいて決定する
請求項２から請求項４の何れか１項に記載の管理システム。
【請求項６】
前記モデルは、少なくとも統計モデルおよび物理モデルのいずれか一方を含む
請求項１から請求項５の何れか１項に記載の管理システム。
【請求項７】
前記状態量の値に基づいて前記モデルを更新するモデル更新部をさらに備え、
前記推定部は、更新された前記モデルを用いて、前記状態量の値を推定する
請求項１から請求項６の何れか１項に記載の管理システム。
【請求項８】
対象装置の状態量の計測値を取得する取得部と、
前記対象装置の第１の状態量と前記対象装置の第２の状態量とが一対一で対応しており、前記第１の状態量の変化量に対して前記第２の状態量の変化量が小さい場合に前記第１の状態量の計測値を、大きい場合に前記第２の状態量の計測値を管理装置に送信することを決定する抽出部と、
前記抽出部が前記第１の状態量の計測値を前記管理装置に送信することを決定した場合に、前記第１の状態量の計測値を前記管理装置に送信する送信部と
を備える通信装置。
【請求項９】
対象装置の状態量の計測値を取得することと、
前記対象装置の第１の状態量と前記対象装置の第２の状態量とが一対一で対応しており、前記第１の状態量の変化量に対して前記第２の状態量の変化量が小さい場合に前記第１の状態量の計測値を、大きい場合に前記第２の状態量の計測値を情報処理装置に送信することを決定することと、
前記第１の状態量の計測値を前記情報処理装置に送信することを決定した場合に、前記第１の状態量の計測値を前記情報処理装置に送信することと、
前記第１の状態量の計測値を取得することと、
前記対象装置の管理のための評価項目ごとに、前記第２の状態量の値を推定するためのモデルを決定することと、
決定した前記モデルを用いて、前記計測値に基づいて前記第２の状態量の値を推定することと、
推定した前記値を用いて前記評価項目の値を算出することと
を有する情報処理方法。
【請求項１０】
コンピュータに
対象装置の状態量の計測値を取得することと、
前記対象装置の第１の状態量と前記対象装置の第２の状態量とが一対一で対応しており、前記第１の状態量の変化量に対して前記第２の状態量の変化量が小さい場合に前記第１の状態量の計測値を、大きい場合に前記第２の状態量の計測値を情報処理装置に送信することを決定することと、
前記第１の状態量の計測値を前記情報処理装置に送信することを決定した場合に、前記第１の状態量の計測値を前記情報処理装置に送信することと、
を実行させるためのプログラム。
【手続補正２】
【補正対象書類名】明細書
【補正対象項目名】発明の名称
【補正方法】変更
【補正の内容】
【発明の名称】管理システム、情報処理方法、プログラム、通信装置
【手続補正３】
【補正対象書類名】明細書
【補正対象項目名】０００１
【補正方法】変更
【補正の内容】
【０００１】
本発明は、管理システム、情報処理方法、プログラム、通信装置に関する。
【手続補正４】
【補正対象書類名】明細書
【補正対象項目名】０００５
【補正方法】変更
【補正の内容】
【０００５】
本発明の第１の態様によれば、管理システムは、通信装置と情報処理装置とを備える管理システムであって、前記通信装置は、対象装置の状態量の計測値を取得する取得部と、前記対象装置の第１の状態量と前記対象装置の第２の状態量とが一対一で対応しており、前記第１の状態量の変化量に対して前記第２の状態量の変化量が小さい場合に前記第１の状態量の計測値を、大きい場合に前記第２の状態量の計測値を前記情報処理装置に送信することを決定する抽出部と、前記抽出部が前記第１の状態量の計測値を前記情報処理装置に送信することを決定した場合に、前記第１の状態量の計測値を前記情報処理装置に送信する送信部とを備え、情報処理装置は、前記第１の状態量の計測値を取得する計測値取得部と、前記対象装置の管理のための評価項目ごとに、前記第２の状態量の値を推定するためのモデルを決定するモデル決定部と、前記モデル決定部が決定したモデルを用いて、前記計測値に基づいて前記第２の状態量の値を推定する推定部と、前記推定部が推定した値を用いて前記評価項目の値を算出する管理部とを備える。
【手続補正５】
【補正対象書類名】明細書
【補正対象項目名】０００６
【補正方法】変更
【補正の内容】
【０００６】
本発明の第２の態様によれば、第１の態様に係る管理システムは、前記対象装置の複数の状態量について、計測値を取得するか否かを決定する取得決定部をさらに備え、前記計測値取得部は、計測値を取得すると判定された状態量の計測値を取得し、前記推定部は、前記モデルを用いて、計測値を取得しないと判定された状態量の値を推定するものであってよい。
【手続補正６】
【補正対象書類名】明細書
【補正対象項目名】０００７
【補正方法】変更
【補正の内容】
【０００７】
本発明の第３の態様によれば、第２の態様に係る管理システムは、前記取得決定部は、計測値を取得するか否かを、前記評価項目に基づいて決定するものであってよい。
【手続補正７】
【補正対象書類名】明細書
【補正対象項目名】０００８
【補正方法】変更
【補正の内容】
【０００８】
本発明の第４の態様によれば、第２または第３の態様に係る管理システムは、前記取得決定部は、計測値を取得するか否かを、前記対象装置の機器構成に基づいて決定するものであってよい。
【手続補正８】
【補正対象書類名】明細書
【補正対象項目名】０００９
【補正方法】変更
【補正の内容】
【０００９】
本発明の第５の態様によれば、第２から第４の何れかの態様に係る管理システムは、前記取得決定部は、計測値を取得するか否かを、前記モデルにおける前記状態量の値の変化率に基づいて決定するものであってよい。
【手続補正９】
【補正対象書類名】明細書
【補正対象項目名】００１０
【補正方法】変更
【補正の内容】
【００１０】
本発明の第６の態様によれば、第１から第５の何れかの態様に係る管理システムは、前記モデルは、少なくとも統計モデルおよび物理モデルのいずれか一方を含むものであってよい。
【手続補正１０】
【補正対象書類名】明細書
【補正対象項目名】００１１
【補正方法】変更
【補正の内容】
【００１１】
本発明の第７の態様によれば、第１から第６の何れかの態様に係る管理システムは、前記状態量の値に基づいて前記モデルを更新するモデル更新部をさらに備え、前記推定部は、更新された前記モデルを用いて、前記状態量の値を推定するものであってよい。
【手続補正１１】
【補正対象書類名】明細書
【補正対象項目名】００１２
【補正方法】変更
【補正の内容】
【００１２】
本発明の第８の態様によれば、通信装置は、対象装置の状態量の計測値を取得する取得部と、前記対象装置の第１の状態量と前記対象装置の第２の状態量とが一対一で対応しており、前記第１の状態量の変化量に対して前記第２の状態量の変化量が小さい場合に前記第１の状態量の計測値を、大きい場合に前記第２の状態量の計測値を管理装置に送信することを決定する抽出部と、前記抽出部が前記第１の状態量の計測値を前記管理装置に送信することを決定した場合に、前記第１の状態量の計測値を前記管理装置に送信する送信部とを備える。
【手続補正１２】
【補正対象書類名】明細書
【補正対象項目名】００１３
【補正方法】変更
【補正の内容】
【００１３】
本発明の第９の態様によれば、情報処理方法は、対象装置の状態量の計測値を取得することと、前記対象装置の第１の状態量と前記対象装置の第２の状態量とが一対一で対応しており、前記第１の状態量の変化量に対して前記第２の状態量の変化量が小さい場合に前記第１の状態量の計測値を、大きい場合に前記第２の状態量の計測値を情報処理装置に送信することを決定することと、前記第１の状態量の計測値を前記情報処理装置に送信することを決定した場合に、前記第１の状態量の計測値を前記情報処理装置に送信することと、前記第１の状態量の計測値を取得することと、前記対象装置の管理のための評価項目ごとに、前記第２の状態量の値を推定するためのモデルを決定することと、決定した前記モデルを用いて、前記計測値に基づいて前記第２の状態量の値を推定することと、推定した前記値を用いて前記評価項目の値を算出することとを有する。
【手続補正１３】
【補正対象書類名】明細書
【補正対象項目名】００１４
【補正方法】変更
【補正の内容】
【００１４】
本発明の第１０の態様によれば、プログラムは、コンピュータに対象装置の状態量の計測値を取得することと、前記対象装置の第１の状態量と前記対象装置の第２の状態量とが一対一で対応しており、前記第１の状態量の変化量に対して前記第２の状態量の変化量が小さい場合に前記第１の状態量の計測値を、大きい場合に前記第２の状態量の計測値を情報処理装置に送信することを決定することと、前記第１の状態量の計測値を前記情報処理装置に送信することを決定した場合に、前記第１の状態量の計測値を前記情報処理装置に送信することと、を実行させる。